(57)【要約】      （修正有）【課題】実際の着用状態を考慮して眼鏡レンズを評価する。【解決手段】ＵＶの危険性に対する保護に関して眼鏡レンズ１を評価するための指標値が計算される。指標値には、眼鏡レンズの背面から着用者の目に到達する入射光が考慮されている。従って、指標値は、ＵＶへの目の暴露が、眼鏡レンズ１を通した透過Ｔ又は眼鏡レンズ１背面１ｂにおける反射Ｒの何れかによる実際の着用状態を考慮したものである。【選択図】図１
2015163879.tif 000002
【特許請求の範囲】
【請求項１】
ＵＶの危険性に対して眼鏡レンズによって提供される保護に関する前記眼鏡レンズの評価を顧客に提供する方法であって、前記評価は、眼鏡レンズのないＵＶ暴露に対して、前記眼鏡レンズの着用者の目に当たる総ＵＶ量の減少を定量化する指標値に基づいており、
光度計にて前記眼鏡レンズの背面からの反射光のＵＶ強度を測定するステップと、
前記眼鏡レンズのＵＶ透過値を提供するステップと、
前記眼鏡レンズの背面からのＵＶ反射値を提供するステップと、
前記ＵＶ透過及びＵＶ反射のそれぞれについて非ゼロの正係数を含む加法公式を用いて、前記眼鏡レンズのＵＶ透過及びＵＶ反射の両方の値を組み合わせるステップと、
前記組み合わせるステップにおいて取得された結果で非ゼロの基本数を割ることにより前記指標値を計算するステップであって、前記指標値は、前記測定するステップで得られた測定値に一部基づいており、前記眼鏡レンズの背面から着用者の目に到達する入射光が考慮されているステップと、
前記眼鏡レンズの前記評価を顧客に提供するステップと、
を含む方法。
【請求項２】
前記計算するステップにおいて計算された前記指標値が、前記眼鏡レンズのＵＶ透過値及びＵＶ反射値を前記加法公式にて組み合わせるために前記組み合わせるステップで取得した結果で前記基本数を割った値に等しい、請求項１に記載の方法。
【請求項３】
前記加法公式において、前記眼鏡レンズの前記ＵＶ透過値を前記ＵＶ透過用に用いられるスケールによる最大値と置き換え、かつ前記眼鏡レンズの前記ＵＶ反射値をゼロと置き換える場合に、前記加法公式の結果が１であり、
前記眼鏡レンズの前記ＵＶ透過値及び前記ＵＶ反射値を用いる場合の前記加法公式の結果が、前記眼鏡レンズを着用していない者と比較した、前記眼鏡レンズの前記着用者の目のＵＶへの全体的な暴露の減少係数と等しい、請求項１に記載の方法。
【請求項４】
ＵＶ透過値を提供する前記ステップとＵＶ反射値を提供する前記ステップにおける各波長値の強度の定量化が、前記眼鏡レンズのスペクトル透過値及びスペクトル反射値用の重み関数内の係数として、太陽スペクトル照射の値を用いることによって実行される、請求項１に記載の方法。
【請求項５】
ＵＶ透過値を提供する前記ステップにおける前記ＵＶ透過値が、前記眼鏡レンズへのＵＶ光線の３０°未満の入射角における第１の値用に提供され、ＵＶ反射値を提供する前記ステップにおける前記ＵＶ反射値が、前記眼鏡レンズの背面へのＵＶ光線の１３５°〜１６０°の入射角における第２の値用に提供され、前記入射角が、前記眼鏡レンズの前方に向けられた基準方向から測定される、請求項１に記載の方法。
【請求項６】
前記組み合わせるステップで用いられる前記眼鏡レンズにおける前記ＵＶ透過の係数の前記基本数に対する比率が０．０１〜１の範囲である、請求項１に記載の方法。
【請求項７】
前記組み合わせるステップで用いられる前記眼鏡レンズの背面における前記ＵＶ反射の係数の前記基本数に対する比率が０．０１〜１の範囲である、請求項１に記載の方法。
【請求項８】
前記組み合わせるステップでは、前記ＵＶ透過及びＵＶ反射の各係数が前記眼鏡レンズに用いられ、該係数は、前記着用者の目に当たる直接太陽ＵＶ強度及び着用者の頭の裏側から前記眼鏡レンズの背面に当たる直接太陽ＵＶ強度のそれぞれについて、昼間における照度パラメータ、前記眼鏡レンズと共に用いられる眼鏡フレームのサイズ及び着用パラメータ、並びに前記眼鏡レンズの基本パラメータの少なくとも１つのための基準値を用いて実行される、前記測定するステップの光度測定から取得される、請求項１に記載の方法。
【請求項９】
前記組み合わせるステップにおいて前記眼鏡レンズに用いられる前記ＵＶ透過及びＵＶ反射の各係数が、太陽時、前記着用者の頭の方位、前記着用者の頭の傾斜、季節、年内の日付、地球上の緯度、のうち少なくとも１つの変化する照度パラメータを用いて実行される測定の結果の平均から取得される、請求項８に記載の方法。
【請求項１０】
前記組み合わせるステップにおいて用いられる加法公式が、α・ＲUV＋β・τUV＋γであり、
τUV及びＲUVが、それぞれ、前記眼鏡レンズの前記ＵＶ透過値及び前記ＵＶ反射値であり、
α及びβが、それぞれ、前記眼鏡レンズのＵＶ反射及びＵＶ透過についての前記係数であり、
γが一定値である、請求項１に記載の方法。
【請求項１１】
前記加法公式における前記眼鏡レンズの前記ＵＶ反射値及びＵＶ透過値の各係数が、両方とも１に等しく、前記一定値がゼロである、請求項１０に記載の方法。
【請求項１２】
前記一定値が、非ゼロであり、かつ昼間における基準状態で実行された、着用者の目に入る前に拡散される太陽ＵＶ放射を含むＵＶ強度量の測定から取得される、請求項１０に記載の方法。
【請求項１３】
前記一定値を取得するために測定される前記ＵＶ強度量が、前記眼鏡レンズを前記着用者が着用している場合に、前記眼鏡レンズと共に用いられるフレームの周囲エッジの外を通過した後で前記着用者の目に入る入射方向の直接太陽ＵＶ放射を更に含む、請求項１２に記載の方法。
【請求項１４】
前記加法公式の結果が、昼間の屋外の照度状態をシミュレートするように設計された卓上光度計を用いて、前記測定するステップにて前記眼鏡レンズについて実行された測定から直接取得される、請求項１に記載の方法。
【請求項１５】
ＵＶ透過値を提供する前記ステップ及びＵＶ反射値を提供する前記ステップにおいて用いられる決定されたＵＶ波長領域が、２８０ｎｍ〜３８０ｎｍの第１の領域、２８０ｎｍ〜４００ｎｍの第２の領域、３１５ｎｍ〜３８０ｎｍの第３の領域、又は２８０ｎｍ〜３１５ｎｍの第４の領域を含むグループから選択される、請求項１に記載の方法。
【請求項１６】
ＵＶの危険性に対して眼鏡レンズのそれぞれによって提供される保護に関して前記眼鏡レンズのセットを分類する方法であって、
前記眼鏡レンズのそれぞれについて、請求項１に記載の方法を実行することによって、それぞれの指標値を計算するステップと、
前記眼鏡レンズのそれぞれについて取得された前記指標値を互いに比較するステップと、を含む方法。
【請求項１７】
前記ＵＶ強度が、前記眼鏡レンズの背面で測定されたものである、請求項１に記載の方法。
【請求項１８】
前記眼鏡レンズのＵＶ透過値が、決定されたＵＶ波長領域にわたり、各波長値について危険性と強度を定量化するために重み付けされたスペクトル透過値を積分することによって得られたものである、請求項１に記載の方法。
【請求項１９】
前記ＵＶ反射値が、前記眼鏡レンズの背面に関連し、決定されたＵＶ波長領域にわたり、各波長値について危険性と強度を定量化するために重み付けされたスペクトル反射値を積分することによって得られたものである、請求項１に記載の方法。
【請求項２０】
着用者の目へのＵＶ光の暴露量の定量化のために評価された眼鏡レンズであって、
光を透過する前面と、
光を反射する背面と、
前記眼鏡レンズに関連付けられ、前記着用者の目へのＵＶ光の暴露の減少量を定量化した指標値を含む評価を該着用者に知らせる、可視の評価の表示と、を含み、
前記指標値は、
前記眼鏡レンズの前面から透過するＵＶ光の量と、
前記眼鏡レンズの背面で反射するＵＶ光の量と、に基づいている、眼鏡レンズ。
【請求項２１】
眼鏡レンズなしのＵＶ暴露に対する前記眼鏡レンズの着用者の目に当たる総ＵＶ量の減少を定量化する指標値を計算することにより、前記眼鏡レンズをＵＶの危険性に対する保護について評価する方法であって、
光度計にて前記眼鏡レンズの背面からの反射光のＵＶ強度を測定するステップと、
前記眼鏡レンズのＵＶ透過値を提供するステップと、
前記眼鏡レンズの背面からのＵＶ反射値を提供するステップと、
前記ＵＶ透過及びＵＶ反射のそれぞれについて非ゼロの正係数を含む加法公式を用いて、前記眼鏡レンズのＵＶ透過及びＵＶ反射の両方の値を組み合わせるステップと、
前記組み合わせるステップにおいて取得された結果で非ゼロの基本数を割ることにより前記指標値を計算するステップと、を含み、前記指標値は、前記測定するステップで得た測定値に一部基づいている、方法。
【請求項２２】
前記指標値が、
ＵＶ透過及びＵＶ反射のそれぞれについての非ゼロの正係数を含む加法公式を用いて、前記眼鏡レンズの前面からのＵＶ透過光量と背面からのＵＶ反射光量の両方を組み合わせ、
前記組み合わせるステップにて得た結果で非ゼロの基本数を割ることにより計算されたものである、請求項２０に記載の眼鏡レンズ。
【請求項２３】
前記組み合わせるステップで用いられる、ＵＶ透過光の非ゼロの正係数の、前記非ゼロの基本数に対する比率が０．０１〜１の範囲である、請求項２２に記載の眼鏡レンズ。
【請求項２４】
前記組み合わせるステップで用いられる、ＵＶ透過光の非ゼロの正係数の、前記基本数に対する比率が１である、請求項２３に記載の眼鏡レンズ。
【請求項２５】
前記組み合わせるステップで用いられる、ＵＶ反射光の非ゼロの正係数の、前記基本数に対する比率が０．０１〜１の範囲である、請求項２２に記載の眼鏡レンズ。
【請求項２６】
前記組み合わせるステップで用いられる、ＵＶ反射光の非ゼロの正係数の、前記基本数に対する比率が１である、請求項２５に記載の眼鏡レンズ。
【請求項２７】
前記組み合わせるステップで用いられる、前記眼鏡レンズのＵＶ透過の前記係数の、前記基本数に対する比率が０．０１〜１の範囲である、請求項２１に記載の方法。
【請求項２８】
前記組み合わせるステップで用いられる、前記眼鏡レンズの背面でのＵＶ反射の前記係数の、前記基本数に対する比率が０．０１〜１の範囲である、請求項２１に記載の方法。
【請求項２９】
前記組み合わせるステップで用いられる加法公式が、α・ＲUV＋β・τUV＋γであり、
τUV及びＲUVが、それぞれ、前記眼鏡レンズのＵＶ透過値及びＵＶ反射値であり、
α及びβが、それぞれ、前記眼鏡レンズのＵＶ反射及びＵＶ透過の前記係数であり、
γが一定値である、請求項２１に記載の方法。
【請求項３０】
前記加法公式における前記眼鏡レンズの前記ＵＶ反射値及び前記ＵＶ透過値の前記係数が、両方とも１に等しく、前記一定値がゼロである、請求項２９に記載の方法。
【請求項３１】
前記眼鏡レンズのＵＶ透過値が、決定されたＵＶ波長領域にわたり、各波長値について危険性と強度を定量化するために重み付けされたスペクトル透過値を積分することによって得られたものである、請求項２１に記載の方法。
【請求項３２】
前記ＵＶ反射値が、前記眼鏡レンズの背面に関連し、決定されたＵＶ波長領域にわたる各波長値が危険性と強度を定量化するために重み付けされたスペクトル反射値を積分することによって得られたものである、請求項２１に記載の方法。
【発明の詳細な説明】
【技術分野】
【０００１】
本発明は、ＵＶの危険性からの保護に関して眼鏡レンズを評価する方法等に関する。
【背景技術】
【０００２】
人の目に対するＵＶ放射による危険性は、長い期間にわたって疑われ、研究されてきた。例えば、米国特許第５，９４９，５３５号明細書は、目へのＵＶ放射によって引き起こされる可能性があるいくつかの損傷の提示を含む。日常生活において、遭遇するＵＶ放射の殆どは、太陽から生じるが、しかし既存の人工光源のいくつかも又、かなりの量のＵＶ放射を生成する。
【０００３】
アイウェアが、ＵＶの危険性に対する保護を着用者に提供できることが又知られている。例えば、既に言及した米国特許第５，９４９，５３５号明細書は、特にＵＶ領域における、アイウェアの太陽放射保護能力に従うアイウェアの評価を開示する。次に、ＵＶの危険性に対するアイウェアの保護効率を定量化する数値を使用者に提供することによって、アイウェアの使用者に、その保護効率を通知することができる。この先行技術文献で開示された評価方法は、次の値の少なくとも２つに基づいている。即ち、２８０ｎｍ（ナノメートル）〜４００ｎｍのＵＶ波長領域における各眼鏡レンズ用の第１の透過値、４００ｎｍ〜５００ｎｍの青色波長領域における各眼鏡レンズ用の第２の透過値、及び眼鏡レンズを着用者の顔に保持するフレームのまわりから目に達する入射光の量を定量化するための更なる値である。より正確には、この最後の値は、眼鏡レンズを通してフィルタリングされることも、アイウェアフレームによって吸収又は反射されることもなく目に達する外部光を表す。
【０００４】
しかしこの周知の評価方法は、アイウェア着用者の目に入る総ＵＶ放射量を全ての状況において適切に定量化するわけではない。特に、かなりの放射量が目に入るが、しかしこの方法によって考慮されないいくつかの状況が存在する。
【先行技術文献】
【特許文献】
【０００５】
【特許文献１】米国特許第５，９４９，５３５号明細書
【発明の概要】
【発明が解決しようとする課題】
【０００６】
従って、本発明の目的は、眼鏡レンズによってもたらされる、ＵＶの危険性に対する保護をより有意に定量化する眼鏡レンズの評価を提供することである。特に、評価は、実際に発生するＵＶへの目の暴露における殆どの状況を考慮するべきである。
【０００７】
本発明の別の目的は、眼鏡レンズを入手するつもりの顧客が容易に直接理解できる、ＵＶ保護に関して眼鏡レンズを評価するための値を提供することである。
【０００８】
本発明の更に別の目的は、特に、適切な光学値を測定及び／又は計算することによって容易に決定できる、ＵＶ保護に関する眼鏡レンズ用の指標値を提供することである。
【課題を解決するための手段】
【０００９】
これらの目的や他の目的を満たすために、本発明の方法は、ＵＶの危険性に対して眼鏡レンズによって提供される保護に関する前記眼鏡レンズの評価を顧客に提供する方法であって、前記評価は、眼鏡レンズのないＵＶ暴露に対して、前記眼鏡レンズの着用者の目に当たる総ＵＶ量の減少を定量化する指標値に基づいており、光度計にて前記眼鏡レンズの背面からの反射光のＵＶ強度を測定するステップと、前記眼鏡レンズのＵＶ透過値を提供するステップと、前記眼鏡レンズの背面からのＵＶ反射値を提供するステップと、前記ＵＶ透過及びＵＶ反射のそれぞれについて非ゼロの正係数を含む加法公式を用いて、前記眼鏡レンズのＵＶ透過及びＵＶ反射の両方の値を組み合わせるステップと、前記組み合わせるステップにおいて取得された結果で非ゼロの基本数を割ることにより前記指標値を計算するステップであって、前記指標値は、前記測定するステップで得られた測定値に一部基づいており、前記眼鏡レンズの背面から着用者の目に到達する入射光が考慮されているステップと、前記眼鏡レンズの前記評価を顧客に提供するステップと、を含む。
【００１０】
また、本発明の眼鏡レンズは、着用者の目へのＵＶ光の暴露量の定量化のために評価された眼鏡レンズであって、光を透過する前面と、光を反射する背面と、前記眼鏡レンズに関連付けられ、前記着用者の目へのＵＶ光の暴露の減少量を定量化した指標値を含む評価を該着用者に知らせる、可視の評価の表示と、を含み、前記指標値は、前記眼鏡レンズの前面から透過するＵＶ光の量と、前記眼鏡レンズの背面で反射するＵＶ光の量と、に基づいている。
【００１１】
そして、本発明の他の方法は、眼鏡レンズなしのＵＶ暴露に対する前記眼鏡レンズの着用者の目に当たる総ＵＶ量の減少を定量化する指標値を計算することにより、前記眼鏡レンズをＵＶの危険性に対する保護について評価する方法であって、光度計にて前記眼鏡レンズの背面からの反射光のＵＶ強度を測定するステップと、前記眼鏡レンズのＵＶ透過値を提供するステップと、前記眼鏡レンズの背面からのＵＶ反射値を提供するステップと、前記ＵＶ透過及びＵＶ反射のそれぞれについて非ゼロの正係数を含む加法公式を用いて、前記眼鏡レンズのＵＶ透過及びＵＶ反射の両方の値を組み合わせるステップと、前記組み合わせるステップにおいて取得された結果で非ゼロの基本数を割ることにより前記指標値を計算するステップと、を含み、前記指標値は、前記測定するステップで得た測定値に一部基づいている。
【発明の効果】
【００１２】
本発明の評価方法は、眼鏡レンズを通した放射透過、しかし又眼鏡レンズの背面による放射反射ゆえのＵＶへの目の暴露状態を考慮することに効率的である。
【００１３】
ここで、今列挙する図に関連して、非限定的なインプリメンテーション用に本発明を詳細に説明する。
【図面の簡単な説明】
【００１４】
【図１】眼鏡レンズ着用者の目に当たる放射流を示す。
【図２ａ】眼鏡レンズ用のＵＶ透過値及びＵＶ反射値を計算するための数式を再現する。
【図２ｂ】眼鏡レンズ用のＵＶ透過値及びＵＶ反射値を計算するための数式を再現する。
【図２ｃ】本発明のインプリメンテーションにおいて使用可能なスペクトル重み値を含む表である。
【図３ａ】本発明に従って指標値を計算するのに適した可能な数式を再現する。
【図３ｂ】本発明に従って指標値を計算するのに適した可能な数式を再現する。
【発明を実施するための形態】
【００１５】
明確にするために、図１に表された要素は、実際の寸法に関連した大きさにされることも、実際の寸法の比率に関連した大きさにされることもない。更に、異なる図で用いられる同じ文字は、同一の意味を有する。
【００１６】
地球大気を透過される太陽放射のＵＶ部分は、２つの波長領域、即ち、可視領域との境界における３８０ｎｍ（ナノメートル）から下へ３１５ｎｍまでの波長値に対応するＵＶＡ、及び３１５ｎｍから下へ２８０ｎｍまでの波長値用のＵＶＢに通常分割される。ＵＶＣと表示される２８０ｎｍ未満の波長を備えた、太陽から生じるＵＶ放射は、大気のオゾンによって吸収され、その結果、殆どの人々が遭遇しない例外的な状況を除いて、日常生活では誰もＵＶＣにさらされない。更に、３８０ｎｍ〜４００ｎｍ間に含まれる波長を備えた放射も又、ＵＶ領域に属すると見なされ得る。しかしながら、以下の詳細な説明において、別段の表示がなければ、太陽放射に関して考慮されるＵＶ波長領域は、２８０ｎｍ〜３８０ｎｍに及び得るが、しかし本発明は、他のＵＶ領域に適用してもよい。
【００１７】
周知の方法で、ＵＶＡ放射は、人の目の水晶体によって吸収され、ＵＶＢ放射の主要な部分は、角膜によって吸収される。周知の眼病理が、これらのＵＶ放射に関係し、その結果、ＵＶ暴露に対する目の保護が、関心の高まる問題になる。特に、ＵＶＢ放射は、ＵＶＡ放射より危険であることが知られている。本発明は、計算及び理解が簡単だが意味のある方法で、スペクタクル眼鏡レンズなどの眼鏡レンズ用のかかる保護を定量化することを目指す。
【００１８】
本発明は、眼鏡レンズの基本材料が何であっても、即ち無機、有機又はハイブリッドであっても、任意のスペクタクル眼鏡レンズ、即ち屈折異常補正眼鏡レンズ、累進屈折力眼鏡レンズ、多焦点眼鏡レンズ、度の入っていない眼鏡レンズ、サングラスなどに適用される。本発明は又、眼鏡レンズの光学面、即ち眼鏡レンズの前面、背面、前面及び背面の両方、並びに／又は恐らく前面と背面との間に位置する眼鏡レンズの追加の境界面の少なくとも１つに、１つ又は複数のコーティング又は層を設けられた眼鏡レンズに適用される。特に、本発明は、眼鏡レンズの背面における反射がいくつかの状況で重要であることが後で示されるように、眼鏡レンズの背面に反射防止コーティングを設けられた眼鏡レンズに適用される。
【００１９】
本発明は又、眼鏡レンズの曲率、フレームの正確な形状、特にフレームの外側部、フレームの材料等が何であっても、ゴーグル用眼鏡レンズに適用される。特に、本発明は、単一の細長い眼鏡レンズが、着用者の両眼の前を連続的に延びる構成と適合する。本発明は又、ＵＶ透過性又はＵＶ阻止性であるフレームの外側部と適合する。
【００２０】
図１は、眼鏡レンズ着用者の目に当たるいくつかの放射フローを概略的に示す。参照番号１、１ａ及び１ｂは、それぞれ、眼鏡レンズ、その正面及びその背面を示す。ここで放射フローを列挙する。
【００２１】
Ｔ：太陽から直接生じ、且つ前面１ａから背面１ｂへと眼鏡レンズ１を透過し、その後、目に達する放射。
【００２２】
Ｒ：太陽から直接生じ、且つ眼鏡レンズ１の背面１ｂで反射され、その後、目に達する放射。
【００２３】
Ｄ1：太陽から直接生じ、眼鏡レンズ１の周辺エッジ及び眼鏡レンズ１と共に用いられるフレームの外側で眼鏡レンズ１のまわりを通過し、目に達する放射。
【００２４】
Ｄ2：眼鏡レンズ１のまわりを通過して目に達する前に、地面又は水面などの着用者の環境に含まれる要素によって拡散されるので、太陽から間接的に生じる放射。
【００２５】
Ｄ3：目に達する前に、着用者の皮膚又は眼鏡レンズフレームによって拡散されるので、太陽から間接的に生じる放射。
【００２６】
これらの放射フローは、特にＵＶ放射に対して当てはまる。
【００２７】
放射フローＴ及びＲは、眼鏡レンズの特徴、特にその透過値及び反射値にそれぞれ依存する。しかし、それらは又、眼鏡レンズ寸法、基本値、プリズム値、広角値などの更なる眼鏡レンズの特徴に依存し得る。眼科において周知のように、眼鏡レンズの基本値は、その正面の基準点における眼鏡レンズの曲率値に関係する。眼鏡レンズ１に対する放射フローＴ及びＲの発生方向ゆえに、これらのフローＴ及びＲは、同時には存在しない。実際には、放射フローＴは、着用者の顔が太陽側に向けられている場合に、ゼロではなく、そのとき直接太陽放射は、眼鏡レンズ１の背面１ｂに達することができない。反対に、放射フローＲは、着用者の顔が太陽から離れるように向けられている場合に、ゼロではなく、そのとき直接太陽放射は、眼鏡レンズ１を通過するために眼鏡レンズ１の前面１ａに達することができない。しかし放射フローＴ及びＲは、眼鏡レンズ着用者が、最初に南方向に面してから、北方向から約３０°オフセットされた北側まで回転している場合に、次々に発生し得る。
【００２８】
更に、放射フローＴは、着用者の頭の方位に、しかし又日中の時間及び太陽の高さに関する地球表面の緯度に依存する入射角ｉT、広角度等の値を備えた眼鏡レンズ１の前面１ａに当たる。しかしながら、入射角ｉTが大きすぎない限り、透過が、通常、限られた範囲でのみ変化するので、入射角ｉTに関して０°（度）で眼鏡レンズ１を通る透過用の値が、ほぼ常に当てはまると考えてもよい。入射角は、眼鏡レンズ１の前方へ、即ち前面１ａから先へ向けられた基準方向ＦＤに対して測定される。
【００２９】
眼鏡レンズの背面１ｂにおける放射フローＲ用の入射角ｉRの値は、フローＲが、眼鏡レンズ１のエッジと着用者の頭との間を伝播できるようにする必要がある。それゆえに、放射フローＲの入射角ｉRの値は、再び基準方向ＦＤに関して、１３５°〜１６０°、より多くの場合に１４５°〜１５０°である。かかる角度値は、図１に実際には現れない。なぜなら、放射フローＲの伝播方向が、この図の断面内に含まれないからである。直接太陽放射が、同時には、ｉT角度で眼鏡レンズ１を透過されず、ｉR角度で反射されないことが再び繰り返される。
【００３０】
放射フローＤ1〜Ｄ3は、眼鏡レンズ透過値及び反射値に依存しないが、しかしそれらは、眼鏡レンズ寸法、フレーム及び着用者の顔の幾何学的特徴などの他のパラメータに依存する可能性がある。更に、放射フローＤ2及びＤ3のエネルギスペクトル分布は、これらのフローが目に達する前に拡散されるので、太陽照射のみには依存しない。この理由で、拡散要素のスペクトル拡散効率は、重要な役割を果たす可能性がある。単純にするために、眼表面におけるフローＤ1〜Ｄ3のそれぞれの放射エネルギは、結果としての放射寄与Ｄ内で合計されてもよく、その結果としてＤ＝Ｄ1＋Ｄ2＋Ｄ3である。放射寄与Ｄの総エネルギ値が、放射フローＴ又はＲのエネルギ量よりはるかに少ないいくつかの状況に関して、又は指標値計算における単純化のために、放射寄与Ｄがゼロに等しいと見なしてもよい。
【００３１】
国際規格ＩＳＯ１３６６６は、太陽ＵＶＡスペクトルにおける透過と同様に、太陽ＵＶＢスペクトルにおける透過を計算するための方法を示す。両方とも、ＵＶ放射用の相対スペクトル有効度関数Ｓ（λ）を掛けられた太陽スペクトル照射Ｅｓ（λ）で重み付けされた眼鏡レンズのスペクトル透過の、対応するＵＶＡ及びＵＶＢ波長領域にわたる連続和、即ち積分として表現される。次に、Ｓ（λ）とＥｓ（λ）の積が、スペクトル透過の実際の重み関数として現れ、Ｗ（λ）と表示される。本説明の文脈において、透過及び透過率は、それらが基準領域係数によって相互に関連付けられることを光学における当業者が知っていという条件で、等しく用いられる。
【００３２】
図２ａは、一緒に連結されたＵＶＡ及びＵＶＢスペクトルに対応する、ＵＶ総太陽スペクトルにおける眼鏡レンズの透過用の式を含む。この式は、ＵＶＡ及びＵＶＢ領域用の規格ＩＳＯ１３６６６の式と別々に一致する。上記で報告された指示に従って、総太陽スペクトルＵＶＡ＆ＵＶＢは、２８０ｎｍ〜３８０ｎｍにわたる波長領域に対応してもよい。τ（λ）は、眼鏡レンズを通したスペクトル透過を示し、τUVは、眼鏡レンズの平均ＵＶ太陽透過とも呼ばれる、眼鏡レンズのＵＶ透過である。
【００３３】
図２ｂは、眼鏡レンズの背面におけるＵＶ放射反射のために図２ａに対応する。Ｒ（λ）は、眼鏡レンズ背面におけるスペクトル反射を示し、ＲUVは、眼鏡レンズの平均ＵＶ太陽反射とも呼ばれる、眼鏡レンズ背面におけるＵＶ反射である。
【００３４】
図２ａ及び２ｂにおけるＵＶ透過及びＵＶ反射の両方の式において、ＵＶ波長領域にわたる連続和は、例えば５ｎｍの波長ピッチを用いて、離散和と置き換えてもよい。太陽スペクトル照射Ｅｓ（λ）及び相対スペクトル有効度関数Ｓ（λ）の値が、適切に補間されるならば、他の波長ピッチの値が、代替として用いられてもよい。規格ＩＳＯ１３６６６の付録Ａは、２８０ｎｍ〜３８０ｎｍで、５ｎｍのピッチを備えた各ＵＶ波長λ用の太陽スペクトル照射Ｅｓ（λ）及び相対スペクトル有効度関数Ｓ（λ）の値を備えた、図２ｃに再現された表を含む。従って、この表は、ＵＶ透過値及びＵＶ反射値を計算するために用いることができる。
【００３５】
図３ａは、本発明の指標値用の可能な数式を示す。この指標は、目−太陽保護係数を表すＥ−ＳＰＦ（登録商標）と表示される。この式において、
ＢＮは、一定でゼロではない基本数であり、指標用のスケールファクタとして働く。
【００３６】
τUV（ｉT）は、入射角値ｉT用に評価される、上記のような眼鏡レンズのＵＶ透過である。
【００３７】
ＲUV（ｉR）は、入射角値ｉR用に評価される、上記のような眼鏡レンズ背面のＵＶ反射である。
【００３８】
α及びβは、それぞれ、ＵＶ反射ＲUV及びＵＶ透過τUVの係数である。
【００３９】
γは、一定値である。
【００４０】
図１に関連して報告された幾何学的考慮との一貫性のために、ＵＶ透過τUVは、３０°未満である、眼鏡レンズ１上へのＵＶ光線の入射角ｉTの第１の値用に提供してもよい。ＵＶ反射ＲUVは、１３５°〜１６０°である、眼鏡レンズ１の背面１ｂ上へのＵＶ光線の入射角ｉRの第２の値用に提供してもよく、両方の入射角ｉT及びｉRは、眼鏡レンズの前方に向けられた基準方向ＦＤから測定される。
【００４１】
両方の係数α及びβ用に非ゼロ値を用いていることは、取得される指標値が、ＵＶへの目の暴露が眼鏡レンズを通した放射透過による状態に対して、しかし又ＵＶへの目の暴露が眼鏡レンズの背面における放射反射による場合の状態に対して意味があるようにすることができる。これは、特に有利である。なぜなら、背面反射によるＵＶへの目の暴露は、例えば、外側の眼鏡レンズエッジと着用者のこめかみとの間の大きな開いた隙間を伴うサングラスを用いた、且つ太陽の高さが低い状態に対するいくつかの場合に、長い期間にわたる暴露への最も重要な寄与を形成し得るからである。
【００４２】
好ましくは、基本数ＢＮに対する係数βの比率、即ちβ／ＢＮは、０．０１〜１の範囲であってもよい。同様に、比率α／ＢＮも又、０．０１〜１の同じ範囲であってもよい。より好ましくは、α／ＢＮは、１以下に留まりながら、昇順優先の順序で０．２、０．４、０．５又は０．６以上である。同時に、β／ＢＮは、再び１以下に留まりながら、昇順優先の順序で、０．４、０．５、０．６又は０．７以上である。好ましい組み合わせでは、α／ＢＮ及びβ／ＢＮの両方とも０．５〜１の範囲である。
【００４３】
一般に、係数α及びβは、係数β用の眼鏡レンズ面積、及び係数α用の、眼鏡レンズと着用者のこめかみとの間の開いた隙間の面積など、眼鏡レンズ又は眼鏡レンズ着用状態に関する幾何学的係数の役割に特に表す。両方の係数β及びαは、それぞれ放射フローＴ及びＲに対応する、着用者の目に当たる直接太陽ＵＶ強度及び着用者の頭の背後から眼鏡レンズの背面に当たる直接太陽ＵＶ強度用にそれぞれ実行される光度測定から取得してもよい。かかる測定のために、昼間の照度パラメータ、眼鏡レンズと共に用いられる眼鏡フレームのサイズ及び着用パラメータ、並びに眼鏡レンズの基本パラメータの中から選択されるパラメータ用に、基準値が使用されてもよい。かかる測定のいくつかのインプリメンテーションにおいて、係数α及びβは、太陽時、着用者の頭の方位、着用者の頭の傾斜、季節、年内の日付、地球上の緯度等の中から選択される、照度パラメータにおける変化するいくつかのパラメータを用いて実行される平均測定結果から取得してもよい。
【００４４】
一定値γは、総放射寄与Ｄを表す。それは、本発明の単純化されたインプリメンテーション用にゼロであってもよく、又は着用者の目に達する前に拡散される太陽ＵＶ放射フローＤ2及びＤ3を含むＵＶ強度量の、昼間における基準状態で実行される測定から取得された値を備えた非ゼロであってもよい。この場合に、一定値γを取得するために測定されるＵＶ強度量は、この放射フローが、眼鏡レンズを着用者が着用した場合に、眼鏡レンズと共に用いられるフレームの周囲エッジの外を通過した後で着用者の目に達するような入射方向を備えた直接太陽ＵＶ放射フローＤ1を更に含んでもよい。
【００４５】
係数α及びβ並びに一定値γは、着用者をシミュレートするダミーモデルの頭の目の位置に置かれたセンサを用いた照射測定によって決定してもよい。測定は、日射環境において行われ、眼鏡レンズは、それが着用者によって実際に着用されているかのように、同じ位置でモデルの頭の眼鏡に取り付けられる。
【００４６】
第１の実験において、眼鏡レンズの背面は、ＵＶ阻止材料、例えば、眼鏡レンズの前面に当たり、且つその背面に透過される全ての可視及びＵＶ光線と同様に、背面に当たるＵＶ光線を吸収する不透明な材料によって覆われる。従って、前方から眼鏡レンズを通して、且つ後ろから眼鏡レンズ背面における反射で生じることになるＵＶ光線は、センサに達しない。次に、一定値γを決定することができる。
【００４７】
第２の実験において、ＵＶ阻止材料は、眼鏡レンズの前面を覆う。次に、センサは、一定値γに加えて、眼鏡レンズの背面での反射による照射部分を測定する。係数αの値は、このように計算することができる。
【００４８】
第３の最後の実験において、着用者の目が受ける全照射は、センサによって測定され、係数βの値も又取得することができる。
【００４９】
図３ｂは、本発明の好ましいインプリメンテーション用に図３ａに対応する。このインプリメンテーションにおいて、ＵＶ反射ＲUV及びＵＶ透過τUVの両方における係数α及びβは、１に等しく、一定値は、ゼロである。即ち、α＝β＝１及びγ＝０である。基本数ＢＮも又、１に等しくてもよい。例えば、このように計算されるＥ−ＳＰＦ値は、１４５°の入射角ｉRに対して評価されるＵＶ反射用の値、及び０°の入射角ｉTに対して評価されるＵＶ透過用の値に基づいてもよい。かかるＥ−ＳＰＦ値は、図２ａ及び２ｂの式に従って取得されるＵＶ透過値及びＵＶ反射値から、任意の眼鏡レンズ用に計算するのが簡単である。
【００５０】
Ｅ−ＳＰＦ指標用の図３ｂの式は、２つの基本眼鏡レンズを、基本眼鏡レンズの背面に配置された２つの反射防止コーティングと組み合わせることによって得られた４つの眼鏡レンズを評価するために用いられた。基本眼鏡レンズ１と表示された第１の基本眼鏡レンズは、入射角ｉTのゼロ値において約５％に等しいＵＶ透過τUV（０°）を有し、基本眼鏡レンズ２と表示された第２の眼鏡レンズのＵＶ透過τUV（０°）は、ゼロである。コーティング１と表示された第１のコーティングは、主として可視波長領域において効率的であるのに対して、コーティング２と表示された第２のコーティングは、入射角ｉRの約１４５°において、ＵＶ領域における背面反射を最小化するように最適化された。従って、両方の基本眼鏡レンズ１及び２に関して、コーティング１のＵＶ反射ＲUV（１４５°）は、約１３％に等しく、コーティング２のそれは、約４％に等しい。以下の表は、４つの眼鏡レンズ用に取得されたＥ−ＳＰＦ値を集約する。
【００５１】
【表１】
2015163879.tif 000003
【００５２】
従って、本発明は、ＵＶの危険性に対して眼鏡レンズのそれぞれによって提供される目の保護に関して、眼鏡レンズを簡単且つ効率的に分類できるようにする。最初に、それぞれの指標値が、眼鏡レンズにおける各眼鏡レンズに対して計算される。次に、眼鏡レンズ用にそれぞれ取得された指標値は、互いに比較される。
【００５３】
一般に本発明に関して、指標値の分母における加法公式の結果、即ちα・ＲUV＋βτUV＋γは、昼間の屋外の照度状態をシミュレートするように設計された卓上光度計を用いて、眼鏡レンズで実行される測定から直接取得してもよい。この目的で、重み関数Ｗ（λ）を再現するように選択されたフィルタを恐らく備えたＵＶ光源、及び任意選択的に、放射フローＤ1〜Ｄ3を再現するための追加ＵＶ光源が、眼鏡レンズ１の前に及びその後ろに１８０°−ｉRに等しい角度オフセットで位置してもよい。全てのＵＶ光源は、同時に作動され、眼鏡レンズの後ろに位置するＵＶ光度計が、眼鏡レンズに関し、着用者の目の位置で総ＵＶ放射量を捕捉する。
【００５４】
本発明は、すぐ上の明細に関していくつかの詳細を適合又は修正しながら、しかしその利点の少なくともいくつかを維持しながら実施され得る。特に、挙げられた数値は、単に説明目的のためであり、適応され得る。
【００５５】
更に、本発明の代替インプリメンテーションは、ＵＶ透過τUV及びＵＶ反射ＲUVの両方の値を計算するために用いられる、ＵＶ放射の波長領域を修正することによって取得してもよい。次に、指標値Ｅ−ＳＰＦは、ＵＶ透過τUV及びＵＶ反射ＲUVの値に基づいて、選択されるＵＶ波長領域用に取得されるが、これらのＵＶ透過τUV及びＵＶ反射Ｒは、この選択されるＵＶ波長領域用に計算された。従って、修正されたＵＶ波長領域は、全体として２８０ｎｍ〜３８０ｎｍにわたるＵＶＡ＆ＵＶＢの代わりに、図２ａ及び２ｂの公式において考慮されることになり、ＵＶ透過τUV及びＵＶ反射ＲUV用のもたらされた結果は、図３ａ及び３ｂの公式に波及する。
【００５６】
これらの代替インプリメンテーションの第１のインプリメンテーションにおいて、詳細な説明で前に使用されたような２８０ｎｍ〜３８０ｎｍのＵＶ波長領域は、２８０ｎｍ〜４００ｎｍの拡張ＵＶ波長領域と置き換えてもよい。
【００５７】
代替インプリメンテーションの第２のインプリメンテーションにおいて、ＵＶ波長領域は、３１５ｎｍ〜３８０ｎｍのＵＶＡ放射に制限してもよい。次に、図２ａ及び２ｂの公式は、ＵＶＡ透過値即ちτUVA、及びＵＶＡ反射値ＲUVA用の値につながる。次に、ＵＶＡ放射のみに関係する指標Ｅ−ＳＰＦ用の値Ｅ−ＳＰＦ（ＵＶＡ）が取得される。
【００５８】
第３の代替インプリメンテーションは、第２のインプリメンテーションのＵＶＡ波長領域の代わりに、２８０ｎｍ〜３１５ｎｍのＵＶＢ波長領域のみを用いることによって、同様の方法で取得される。従って、ＵＶＢ放射に関係するＵＶＢ透過値τUVB、ＵＶＢ反射値ＲUVB、及び指標Ｅ−ＳＰＦ（ＵＶＢ）用の値が取得される。
【００５９】
しかしながら、以下の不等式に注意を払うべきである。
【００６０】
τUVA＋τUVB≠τUV。この後者のτUVは、ＵＶＡ及びＵＶＢ領域のマージを用いて、図２ａに示されている通りである。
【００６１】
ＲUVA＋ＲUVB≠ＲUV。後者のＲUVは、ＵＶＡ及びＵＶＢ領域のマージを用いて、図２ｂに示されている通りである。
【００６２】
Ｅ−ＳＰＦ（ＵＶＡ）＋Ｅ−ＳＰＦ（ＵＶＢ）≠ＥＳＰＦ。この後者のＥ−ＳＰＦ値は、τUV及びＲUVの値がＵＶＡ及びＵＶＢ領域のマージ用に取得される図３ａ又は３ｂの公式からもたらされる通りである。
【００６３】
〔まとめ〕
これらの目的や他の目的を満たすために、本発明の第１の態様は、眼鏡レンズ、即ちＵＶの危険性に対してその眼鏡レンズによって提供される保護に関して眼鏡レンズを評価する方法であって、それによって、指標値が、眼鏡レンズのないＵＶ暴露に対して、眼鏡レンズの着用者用に目に当たる総ＵＶ量の減少を定量化するために計算され、方法が以下のステップ、
／１／  決定されたＵＶ波長領域にわたり、各波長値用の危険性及び強度を定量化するために重み付けされたスペクトル透過値を積分することによって取得される、眼鏡レンズ用のＵＶ透過値を提供するステップと、
／２／  眼鏡レンズの背面におけるＵＶ反射値を提供するステップであって、ＵＶ反射が、眼鏡レンズの背面に関係する、且つ決定されたＵＶ波長領域にわたり各波長値用の危険性及び強度を定量化するために重み付けされたスペクトル反射値を積分することによって取得されるステップと、
／３／  ＵＶ透過及びＵＶ反射用の非ゼロの正係数をそれぞれ備えた加法公式を用いて、眼鏡レンズのＵＶ透過及びＵＶ反射の両方の値を組み合わせるステップと、
／４／  ステップ／３／において取得された結果で割られた基本数から指標値を計算するステップと、
を含む方法を提案する。
【００６４】
従って、本発明の評価方法は、ＵＶ放射への変化する目の暴露状態を考慮することに効率的である。これらの状態の第１の状態は、着用者の顔がＵＶ光源の方へ向けられている場合に発生する。次に、眼鏡レンズを通したＵＶ放射の透過は、ＵＶ放射への着用者の目の主な暴露モードであり、この寄与は、加法公式に含まれる眼鏡レンズのＵＶ透過値を通して指標値に関係する。
【００６５】
しかし、第２の暴露状態も又、着用者の顔が、例えば、ＵＶ光源の方向と着用者の顔の前方方向との間で、１３５°〜１６０°の角度で、ＵＶ光源から離れるように向けられた場合に発生する。かかる状態において、ＵＶ放射は、眼鏡レンズを通って目へと透過されないが、しかしいくらかの放射は、主として両方の外側部において着用者の頭のまわりでＵＶ光源から眼鏡レンズの背面に当たり、眼鏡レンズによって目へと反射される。この他の暴露モードは、眼鏡レンズを通した透過を含む暴露モードとは別個であり、又着用者が眼鏡レンズを着用している場合に、ＵＶへの目の暴露に関係する。本発明によれば、この反射に基づいた暴露モードは又、加法公式に同様に含まれるＵＶ反射値を通して指標値に関係する。
【００６６】
従って、本発明の評価方法は、眼鏡レンズを通した放射透過、しかし又眼鏡レンズの背面による放射反射ゆえのＵＶへの目の暴露状態を考慮することに効率的である。
【００６７】
任意選択的に、指標値は、オフセット又は補正項を更に実行することによって、眼鏡レンズのＵＶ透過値及びＵＶ反射値を書き込まれた加法公式の結果に対する基本数の比率から、ステップ／４／において取得してもよい。かかるオフセット又は補正項は、加法公式の結果に対する基本数の比率に追加してもよい。それは、眼鏡レンズに対するＵＶ光源の位置、眼鏡フレームパラメータ、着用者の人相学的パラメータ、レンズサイズ及び曲率パラメータなどの幾何学的パラメータに依存し得る。
【００６８】
好ましくは、ステップ／４／において計算される指標値は、加法公式を用いた眼鏡レンズのＵＶ透過値及びＵＶ反射値の組み合わせ用にステップ／３／で取得された結果で割られた基本数に等しくてもよい。
【００６９】
本発明の好ましいインプリメンテーションにおいて、加法公式の結果は、この公式において、眼鏡レンズのＵＶ透過を、ＵＶ透過用に用いられるスケールによる最大値と置き換える場合に、かつ又眼鏡レンズのＵＶ反射をゼロと置き換える場合に、１であってもよい。次に、眼鏡レンズのＵＶ透過値及びＵＶ反射値を用いる場合の加法公式の結果は、着用者が眼鏡レンズを着用している場合に、眼鏡レンズなしの着用者と比較して、全体的なＵＶへの目の暴露に対する減少係数と等しくてもよい。換言すれば、加法公式の結果は、日常生活においてＵＶの危険性に対して目を保護するための眼鏡レンズの効率を定量化する。本発明によって提供される指標値のかかる意味は、理解するのが容易で簡単である。
【００７０】
本発明は、自然又は人工の任意のＵＶ光源に関係する、即ちステップ／１／及び／２／において用いられる重み関数がこのＵＶ光源に対応するならば、自然又は人工の任意のＵＶ光源に関係する危険性に対して眼鏡レンズを評価するために使用し得る。これは、眼鏡レンズのスペクトル透過値及び反射値用の重み関数が、実際のＵＶ光源に対応するスペクトル照射値に基づくことを含む。太陽が、考慮されるＵＶ光源である場合に、ステップ／１／及び／２／における各波長値の強度の定量化は、眼鏡レンズのスペクトル透過値及びスペクトル反射値用の重み関数内の係数として、太陽スペクトル照射の値を用いることによって実行してもよい。
【００７１】
好ましくは、ステップ／３／において用いられる加法公式は、α・ＲUV＋β・τUV＋γであってもよく、ここでτUV及びＲUVは、それぞれ、眼鏡レンズのＵＶ透過及びＵＶ反射であり、α及びβは、それぞれ、眼鏡レンズのＵＶ反射及びＵＶ透過用の係数であり、γは、一定値である。一定値γは、非ゼロであってもよい。次に、それは、着用者の目に入る前に拡散される太陽ＵＶ放射を含むＵＶ強度量を表してもよい。このＵＶ強度量は又、直接太陽ＵＶ放射、即ち、着用者が眼鏡レンズを着用している場合に、この放射が、眼鏡レンズと共に用いられるフレームの周囲エッジの外側を通過した後で着用者の目に入るような入射方向を備えた直接太陽ＵＶ放射を含んでもよい。両方の場合に、一定値γは、着用者の目に入る前に拡散される太陽ＵＶ放射を含む、かつ又恐らく眼鏡レンズのまわりから着用者の目に入る直接太陽ＵＶ放射を含むＵＶ強度量の、昼間における基準状態で実行される測定から取得してもよい。
【００７２】
本発明の好ましい代替インプリメンテーションにおいて、加法公式における眼鏡レンズのＵＶ反射値及びＵＶ透過値の係数は、両方とも１に等しくてもよく、一定値は、ゼロであってもよい。そのとき、非常に単純な計算が、任意の眼鏡レンズ用の指標値につながる。
【００７３】
両方のステップ／１／及び／２／において用いられる、決定されたＵＶ波長領域は、２８０ｎｍ〜３８０ｎｍの第１の領域、２８０ｎｍ〜４００ｎｍの第２の領域、３１５ｎｍ〜３８０ｎｍの第３の領域、又は２８０ｎｍ〜３１５ｎｍの第４の領域の何れかであってもよい。
【００７４】
本発明の第２の態様は、ＵＶの危険性に対して眼鏡レンズセットのそれぞれによって提供される保護に関して眼鏡レンズセットを分類する方法であって、方法が、以下のステップ、
−  眼鏡レンズにおける各眼鏡レンズ用に、上記のような評価方法を実行することによって、それぞれの指標値を計算するステップと、
−  眼鏡レンズ用にそれぞれ取得された指標値を互いに比較するステップと、
を含む方法を提案する。
【００７５】
従って、眼鏡レンズの１つを取得するつもりの顧客は、ＵＶの危険性に対する眼鏡レンズのそれぞれの保護効率に関する明瞭な情報に基づいて眼鏡レンズを選択することができる。顧客は、裸眼状態と比較された各眼鏡レンズの絶対的な保護効率を認識しながら、眼鏡レンズの指標値に関して眼鏡レンズを分類することができる。
【図１】
2015163879.tif 000004
【図２ａ】
2015163879.tif 000005
【図２ｂ】
2015163879.tif 000006
【図２ｃ】
2015163879.tif 000007
【図３ａ】
2015163879.tif 000008
【図３ｂ】
2015163879.tif 000009